(57)【要約】【課題】複数の放送を多重化してなる放送波を受信し、所定の放送システムの対応するチヤンネルに配信する情報中継装置において、簡易な構成によつて所定の放送番組を選択し得る情報中継装置を実現する。【解決手段】放送波Ｓ１から所定のトンスポンダによつて中継されたデータストリームＤ２５Ａ、Ｄ２５Ｂ、……Ｄ２５Ｎを抽出し、当該抽出されたデータストリームをパケツト抽出手段３０Ａ〜３０Ｃのいずれかに割り当て、当該パケツト抽出手段においてデータストリームの中から任意のパケツトを指定するとともにこれを取り出し、当該取り出されたパケツトを所定の放送システムの所定のチヤンネルに送出することにより、放送波に多重化された複数の放送のなかから所望のチヤンネルを取り出して所定の放送システムの所望のチヤンネルに送出し得る。【選択図】図３
2007235978.tif 000002
【特許請求の範囲】
【請求項１】
複数の放送を多重化してなる放送波を受信し、上記放送を所定の放送システムに配信する情報中継装置において、
上記放送波から所定のトンスポンダによつて中継されたデータストリームを抽出するデータストリーム抽出手段と、
上記データストリーム抽出手段によつて抽出された上記データストリームを所定のパケツト抽出手段に割り当てる割当手段と、
上記データストリームの中から任意のパケツトを指定し取り出す上記パケツト抽出手段と、
上記抽出されたパケツトを上記所定の放送システムの所定のチヤンネルに送出する送出手段と
を具えることを特徴とする情報中継装置。
【請求項２】
上記情報中継装置は、
異なる複数の上記トランスポンダを介して中継された複数の放送波からそれぞれのデータストリームを抽出する複数の上記データストリーム抽出手段と、
上記所定の放送システムに配信する上記放送ごとに複数の上記パケツト抽出手段を個別に対応付ける上記割当手段と、
上記各パケツト抽出手段によつて抽出された複数放送のパケツトを再多重化して上記所定の放送システムの所定のチヤンネルに送出する上記送出手段と
を具えることを特徴とする請求項１に記載の情報中継装置。
【請求項３】
上記情報中継装置は、
上記放送波又は所定の放送源からの自主放送波を切り換えて上記パケツト抽出手段に入力する選択手段を具える
ことを特徴とする請求項１に記載の情報中継装置。
【請求項４】
上記放送波の配信対象となる上記所定の放送システムは、
有線放送システムである
ことを特徴とする請求項１に記載の情報中継装置。
【発明の詳細な説明】
【技術分野】
【０００１】
本発明は情報中継装置に関し、例えば複数チヤンネルの番組が多重化されてなるデイジタル衛星放送波を受信し、任意のチヤンネルを抽出した後、有線放送システムの所望のチヤンネルに配信する情報中継装置に適用して好適なものである。
【背景技術】
【０００２】
従来、映像及び音声等の情報量を減らす方法として、ＭＰＥＧ２(Moving Picture Experts Group Phase 2)と呼ばれる圧縮符号化方法がある。かかる圧縮符号化方法を用いて、映像及び音声の放送データを圧縮符号化し、地上波または衛星波を用いて番組を放送するデイジタル放送システムとして、ＤＶＢ（Digital Video Broadcasting）方式が提案されている。この放送システムでは、ＭＰＥＧ２方式で圧縮符号化した放送データを所定ブロツク毎にパケツト化し、その結果得られるパケツト列を送信するようになされている（以下、パケツトをＴＳ(Transport Stream)パケツトと呼び、当該ＴＳパケツトの列からなるデータストリームをトランスポートストリームと呼ぶ）。またデイジタル放送システムでは、このようにパケツト化された複数の番組チヤンネルの放送データを多重化し、これにより一つの回線で複数番組チヤンネルを放送し得る。
【０００３】
因みに、番組チヤンネルとは一つの放送サービスであり、複数の番組チヤンネルが多重化されたものを一つの伝送チヤンネルと呼び、当該一つの伝送チヤンネルを通信衛星の対応する一つのトランスポンダで中継する。通信衛星には複数のトランスポンダが設けられており、これにより複数の伝送チヤンネルの放送データが中継されて地上に送信される。
【発明の開示】
【発明が解決しようとする課題】
【０００４】
ところで、有線によつてテレビジヨン番組等の情報を配信するケーブルテレビジヨンシステム（以下これをＣＡＴＶ（Cable Television) と呼ぶ）においては、通信衛星を介して配信されるデイジタル多重衛星放送波を受信し、これをケーブルテレビジヨン番組放送として再配信する中継装置が考えられている。
【０００５】
デイジタル多重衛星放送波を受信しＣＡＴＶに配信する一つの方法として、通信衛星の一つのトランスポンダで中継された信号を復調してトランスポートストリームを生成した後、当該トランスポートストリームにＣＡＴＶに応じた変調を行い、これを一つのＣＡＴＶチヤンネルに送出する方法が考えられる。この方法の場合、図８に示すように、所定のトランスポンダによつて中継された伝送チヤンネルに含まれるすべての番組チヤンネルは、一つのＣＡＴＶチヤンネルに配信されることになる。例えば、衛星放送のトランスポンダＴｒ１とＣＡＴＶのＣＡＴＶチヤンネルＣｈ１が対応している場合、ＣＡＴＶチヤンネルＣｈ１に多重化される番組チヤンネルは、トランスポンダＴｒ１に中継されて配信される伝送チヤンネルに多重化されている番組チヤンネルＣ１、Ｃ２及びＣ３となる。
【０００６】
ところが、かかる方法によつてデイジタル多重衛星放送をＣＡＴＶに再配信する場合、一つのＣＡＴＶチヤンネルに対して一つのトランスポンダで中継される伝送チヤンネルが配信されることになり、当該ＣＡＴＶチヤンネルに対して他のトランスポンダで中継される番組チヤンネルを選択配信することが困難になり、複数の伝送チヤンネルの中から所望の番組チヤンネルを一つのＣＡＴＶチヤンネルに配信し得ず、使い勝手が悪い問題があつた。
【０００７】
本発明は以上の点を考慮してなれさたもので、簡易な構成によつて所望の放送番組を選択し配信し得る情報中継装置を提案しようとするものである。
【課題を解決するための手段】
【０００８】
かかる課題を解決するため本発明においては、放送波から所定のトンスポンダによつて中継されたデータストリームを抽出し、当該抽出されたデータストリームを所定のパケツト抽出手段に割り当て、当該パケツト抽出手段においてデータストリームの中から任意のパケツトを指定するとともにこれを取り出し、当該取り出されたパケツトを所定の放送システムの所定のチヤンネルに送出することにより、放送波に多重化された複数の放送のなかから所望のチヤンネルを取り出して所定の放送システムの所望のチヤンネルに送出することができる。
【０００９】
また、所定の放送システムに配信する放送番組ごとに一つのパケツト抽出手段を対応付けることにより、当該パケツト抽出手段の数を配信すべき放送の数に限定することができ、この分、情報中継装置の構成を簡単にすることができる。
【発明の効果】
【００１０】
本発明によれば、複数の放送を多重化してなる放送波を受信し、所定の放送システムの対応するチヤンネルに配信する情報中継装置において、放送波から所定のトンスポンダによつて中継されたデータストリームを抽出し、当該抽出されたデータストリームを所定のパケツト抽出手段に割り当て、当該パケツト抽出手段においてデータストリームの中から任意のパケツトを指定するとともにこれを取り出し、当該取り出されたパケツトを所定の放送システムの所定のチヤンネルに送出することにより、放送波に多重化された複数の放送のなかから所望のチヤンネルを取り出して所定の放送システムの所望のチヤンネルに送出することができる。
【００１１】
また、所定の放送システムに配信する放送番組ごとに一つのパケツト抽出手段を対応付けることにより、当該パケツト抽出手段の数を配信すべき放送の数に限定することができ、この分、情報中継装置の構成を簡単にすることができる。
【発明を実施するための最良の形態】
【００１２】
以下図面について、本発明の一実施の形態を詳述する。
【００１３】
（１）衛星放送配信ＣＡＴＶシステム
図１において、１は全体として衛星放送配信ＣＡＴＶシステムを示し、通信衛星（図示せず）によつて中継された衛星放送信号Ｓ１をアンテナ５において受信し、情報中継装置としての受信配信装置１０に供給する。受信配信装置１０において、衛星放送信号Ｓ１はＮ個の同一構成でなるチユーナ部２５Ａ〜２５Ｎに供給される。ここで、チユーナ部２５Ａ〜２５Ｎの個数Ｎは、通信衛星が有するトランスポンダの数と同一である。
【００１４】
チユーナ部２５Ａ〜２５Ｎは、衛星放送信号Ｓ１のそれぞれ対応するトランスポンダに同調して復調及び誤り訂正を行い、各トランスポンダによつて中継された伝送チヤンネルのトランスポートストリームＤ２５Ａ〜Ｄ２５Ｎを抽出して多重化部５０に供給する。これらのトランスポートストリームＤ２５Ａ〜Ｄ２５Ｎは、それぞれ複数の番組チヤンネルを多重化したものである。多重化部５０は、トランスポートストリームＤ２５Ａ〜Ｄ２５Ｎについて、それぞれを構成するＴＳパケツトに一旦分離した後、当該複数のＴＳパケツトのうち一つのＣＡＴＶチヤンネルに割り当てる複数番組チヤンネルのＴＳパケツトを再多重化し、対応するＣＡＴＶチヤンネルに配信する。
【００１５】
この実施の形態の場合、Ｍ個のＣＡＴＶチヤンネルが設けられており、各ＣＡＴＶチヤンネルに対して、Ｎ個のトランスポンダを介して得られる各番組チヤンネルが任意に組み合わされて配信される。このようにして多重化部５０において再多重化された結果得られるトランスポートストリームＤ５０Ａ〜Ｄ５０Ｍは、それぞれ対応するＣＡＴＶチヤンネルに配信され、各ＣＡＴＶチヤンネルに設けられた変調部７０Ａ〜７０Ｍに供給される。
【００１６】
図２は多重化部５０における再多重化処理すなわち衛星放送の各番組チヤンネルＣ１〜Ｃ９をＣＡＴＶに再配信する際のチヤンネルの組み換えの例を示す。通信衛星が有するトランスポンダＴｒ１によつて中継される伝送チヤンネルには番組チヤンネルＣ１、Ｃ２及びＣ３の３チヤンネルが多重化されている。同様にトランスポンダＴｒ２によつて中継される伝送チヤンネルには番組チヤンネルＣ４、Ｃ５及びＣ６の３チヤンネルが多重化され、トランスポンダＴｒ３によつて中継される伝送チヤンネルには番組チヤンネルＣ７、Ｃ８及びＣ９の３チヤンネルが多重化されている。
【００１７】
受信配信装置１０は、番組チヤンネルＣ１〜Ｃ９の計９チヤンネルのうち、任意のチヤンネルを選択し組み合わせることにより再多重化処理を行う。例えば、第１のＣＡＴＶチヤンネルＣｈ１には番組チヤンネルＣ２、Ｃ５及びＣ６を再多重化し、第２のＣＡＴＶチヤンネルＣｈ２には番組チヤンネルＣ３、Ｃ８及びＣ９を再多重化する。ここで、番組チヤンネルＣ１、Ｃ４及びＣ７はＣＡＴＶチヤンネルに再多重化されず配信されない。このように、多重化部５０は衛星放送に多重化されている番組チヤンネルのうち任意の番組チヤンネルを選択し、任意の組み合わせにより再多重化処理を行う。
【００１８】
図１において、各ＣＡＴＶチヤンネルの変調部７０Ａ〜７０ＭはトランスポートストリームＤ５０Ａ〜Ｄ５０Ｍに対し６４ＱＡＭ（Quadrature Amplitude Moduration）方式による変調を行い、送信信号Ｓ７０Ａ〜Ｓ７０Ｍとしてヘツドエンド部８０に供給する。ヘツドエンド部８０は、送信信号Ｓ７０Ａ〜Ｓ７０Ｍを周波数多重処理し、これを送信信号Ｓ８０としてＣＡＴＶケーブル９０に送出する。これにより送信信号Ｓ８０は、ＣＡＴＶ加入者が有するＳＴＢ（Set Top Box）１００において復調処理、チヤンネル選択及び復号処理を受け、テレビジヨン受像器（図示せず）に送出され表示される。
【００１９】
（２）受信配信装置の構成
図１との対応部分に同一符号を付して示す図３は全体として受信配信装置１０を示し、通信衛星のトランスポンダの数に等しいＮ個のチユーナ部２５Ａ〜２５Ｎを有する受信基板部２０と、複数（この実施の形態の場合３個）のパケツト選択部３０Ａ〜３０Ｃをそれぞれ有する複数のパケツト選択基板部３５Ａ〜３５Ｋとが入力多重バスＢＵＳ１によつて接続されている。入力多重バスＢＵＳ１のチヤンネル数はチユーナ２５Ａ〜２５Ｎの数に等しい。
【００２０】
また、各パケツト選択基板部３５Ａ〜３５Ｋはそれぞれ出力多重バスＢＵＳ２を介して変調基板部６０に接続されている。出力多重バスＢＵＳ２のチヤンネル数はＣＡＴＶのチヤンネル数（Ｍ個）に等しく、さらに変調基板部６０にはＣＡＴＶのチヤンネル数（Ｍ個）分の読出制御部６５Ａ〜６５Ｍ及び変調部７０Ａ〜７０Ｍが設けられている。
【００２１】
受信基板部２０の第１のチユーナ部２５Ａは、アンテナ５（図１）によつて受信した衛星放送信号Ｓ１を復調及び誤り訂正処理することにより、対応する第１のトランスポンダによつて中継されたトランスポートストリームＤ２５Ａを抽出し、これを入力多重バスＢＵＳ１の対応するチヤンネルに送出する。第１のチユーナ２５ＡからトランスポートストリームＤ２５Ａを受けた入力多重バスＢＵＳ１の対応するチヤンネルは、これをすべてのパケツト選択基板部３５Ａ〜３５Ｋのすべてのパケツト選択部３０Ａ〜３０Ｃに供給する。
【００２２】
また、これと同様にして、受信基板部２０の第２のチユーナ部２５Ｂは、アンテナ５（図１）によつて受信した衛星放送信号Ｓ１を復調及び誤り訂正処理することにより、対応する第２のトランスポンダによつて中継されたトランスポートストリームＤ２５Ｂを抽出し、これを入力多重バスＢＵＳ１の対応するチヤンネルに送出する。第２のチユーナ２５ＢからトランスポートストリームＤ２５Ｂを受けた入力多重バスＢＵＳ１の対応するチヤンネルは、これをすべてのパケツト選択基板部３５Ａ〜３５Ｋのすべてのパケツト選択部３０Ａ〜３０Ｃに供給する。
【００２３】
このようにして、Ｎ個の各チユーナ２５Ａ〜２５Ｎにおいて抽出されたトランスポートストリームＤ２５Ａ〜Ｄ２５Ｎは、それぞれ入力多重バスＢＵＳ１の対応するチヤンネルを介してすべてのパケツト選択基板部３５Ａ〜３５Ｋのすべてのパケツト選択部３０Ａ〜３０Ｃに供給される。
【００２４】
ここで、各パケツト選択基板部３５Ａ〜３５Ｋに設けられたパケツト選択部３０Ａ〜３０Ｃの総数は、デイジタル多重衛星放送波（衛星放送信号Ｓ１）の各伝送チヤンネルに多重化されている複数の番組チヤンネルのうち、ＣＡＴＶチヤンネルに配信しようとする番組チヤンネルの数と一致するように予め設定されている。
【００２５】
この実施の形態の場合、図２について上述したように、９個の番組チヤンネルＳ１〜Ｓ９のなかから６個の番組チヤンネルＳ２、Ｓ３、Ｓ５、Ｓ６、Ｓ８及びＳ９を選択し、これを２つのＣＡＴＶチヤンネルＣｈ１及びＣｈ２に分けて配信するようになされている。従つて、パケツト選択部３０Ａ〜３０Ｃの総数は、ＣＡＴＶチヤンネルに配信する６個の番組チヤンネルの数に対応して６個に設定されている。
【００２６】
ここで、図４は第１のパケツト選択基板部３５Ａに設けられた第１のパケツト選択部３０Ａを示し、各チユーナ２５Ａ〜２５Ｎ（図３）から供給されるトランスポートストリームＤ２５Ａ〜Ｄ２５Ｎは、入力選択部４０に入力される。この入力選択部４０は、ＣＡＴＶチヤンネルに配信する複数の番組チヤンネルのうちの当該パケツト選択部３０Ａにおいて選択しようとする番組チヤンネルを含むトランスポートストリームＤ２５Ａを選択するようになされている。
【００２７】
この場合、当該パケツト選択部３０Ａにおいて選択すべき番組チヤンネルは予めＣＰＵ部５５（図３）において設定されており、ＣＰＵ部５５（図３）は当該パケツト選択部３０Ａにおいて選択すべき番組チヤンネルが多重化されている伝送チヤンネルのトランスポートストリームＤ２５Ａを選択情報Ｄ５５Ａによつて選択し、これにより選択されたトスランポートストリームＤ２５Ａを続くＮＩＴ（Network Information Table）／ＰＡＴ（Program Association Table）／ＰＭＴ（Program Map Table）バージヨン監視部３１に供給する。
【００２８】
ここでＮＩＴ、ＰＡＴ及びＰＭＴは、ＭＰＥＧ２方式により定義された階層構造のシステム情報であり、それぞれがトランスポートストリームの所定の位置に割り当てられている。ＮＩＴは、階層構造を有するシステム情報の最上位に位置付けられており、通信衛星が有する各トランスポンダの周波数情報や、各番組チヤンネルのリスト及び当該各番組チヤンネルについてこれを中継するトランスポンダの情報が割り当てられている。ＰＡＴは、各トランスポートストリームにおける、ＰＭＴのパケツト識別子ＰＩＤ（Packet Identifier）の値（すなわちＰＭＴの位置）が割り当てられたテーブルである。因みに、ＰＭＴは、トランスポートストリームにおける各番組チヤンネルごとに設けられるものであり、各番組チヤンネルのＴＳパケツトに付せられているＰＩＤの値（すなわち番組チヤンネルのＴＳパケツトの位置）のデータが割り当てられたテーブルである。
【００２９】
従つて、例えばデイジタル多重衛星放送の受信システムにおいて、ユーザが所望の番組チヤンネルを選択する場合、当該受信システムは、まずＮＩＴを参照して所望の番組チヤンネルを中継するトランスポンダを判別するとともに当該トランスポンダの周波数にチユーニングする。これによりユーザが所望とする番組チヤンネルが多重化された伝送チヤンネルのトランスポートストリームが受信される。
【００３０】
そして当該受信システムは、受信したトランスポートストリームに割り当てられているＰＡＴを参照し、これにより所望とする番組チヤンネルのＰＭＴの位置（すなわちＰＭＴのＰＩＤ）を認識する。かくして受信システムはユーザが所望とする番組チヤンネルのＰＭＴを参照することができ、これにより当該番組チヤンネルの各ＴＳパケツトのＰＩＤを認識し、複数の番組チヤンネルが多重化されたトランスポートストリームから、所望の番組チヤンネルを構成するＴＳパケツトのみを選択することができる。
【００３１】
従つて、デイジタル多重衛星放送をＣＡＴＶに再配信する衛星放送配信ＣＡＴＶシステム１において、図４に示すＮＩＴ／ＰＡＴ／ＰＭＴバージヨン監視部３１は、トランスポートストリームＤ２５Ａに割り当てられているＮＩＴ、ＰＡＴ及びＰＭＴを抽出し、これをＮＩＴ／ＰＡＴ／ＰＭＴメモリ部３５に格納する。これにより当該ＮＩＴ／ＰＡＴ／ＰＭＴメモリ部３５を参照することにより、各番組チヤンネルのＴＳパケツトの位置を認識し得ることになる。
【００３２】
ここでＣＰＵ部５５（図３）は、各ＣＡＴＶチヤンネルに配信すべき番組チヤンネル及び当該番組チヤンネルを選択するパケツト選択部の対応を予め設定している。例えば第１のＣＡＴＶチヤンネルに配信すべき第１の番組チヤンネルＣ２（図２）について、ＣＰＵ部５５（図３）は図４に示す第１の番組チヤンネルＣ２に対応したパケツト選択部３０ＡのＮＩＴ／ＰＡＴ／ＰＭＴメモリ部３５から、第１のＣＡＴＶチヤンネルに配信すべき番組チヤンネルのＴＳパケツトの位置（すなわち当該ＴＳパケツトのＰＩＤ）を読み出し、これをＰＩＤ情報Ｄ３７としてＰＩＤ指定メモリ部３７に格納する。
【００３３】
これにより、パケツトフイルタ３２は到来するトランスポートストリームＤ２５Ａの中から、ＰＩＤ情報Ｄ３７によつて指定されたＴＳパケツトのみを取り出して続くＦＩＦＯ(First In First
Out)３３に送出する。かくして、当該ＦＩＦＯ３３には、入力選択部４０において選択されたトランスポートストリームＤ２５Ａのうち、第１のＣＡＴＶチヤンネルに配信すべき番組チヤンネルのＴＳパケツトのみが供給される。
【００３４】
因に、トランスポートストリームＤ２５Ａにおいては、ＮＩＴ、ＰＡＴ及びＰＭＴとして常に同一の情報が繰り返し割り当てられているが、デイジタル多重衛星放送の放送内容に変化が生じた場合として、例えばトランスポンダと番組チヤンネルの組み合わせが変更された場合には当該ＮＩＴ、ＰＡＴ及びＰＭＴの情報も更新される。ここで、ＮＩＴ、ＰＡＴ及びＰＭＴはバージヨン情報を有しており、かかる放送内容の変化が生じた場合、バージヨン情報は同時に更新される。従つて、ＣＰＵインターフエース３６はＮＩＴ、ＰＡＴ及びＰＭＴのバージヨン情報を監視することにより、当該ＮＩＴ、ＰＡＴ及びＰＭＴの更新を検出することができる。
【００３５】
従つてデイジタル多重衛星放送をＣＡＴＶに再配信する衛星放送配信ＣＡＴＶシステム１において、図４に示すＮＩＴ／ＰＡＴ／ＰＭＴバージヨン監視部３１は、トランスポートストリームＤ２５Ａに割り当てられたＮＩＴ、ＰＡＴ及びＰＭＴを常に監視し、ＮＩＴ、ＰＡＴ及びＰＭＴのバージヨンの更新を検出した場合、当該新たなＮＩＴ、ＰＡＴ及びＰＭＴをＮＩＴ／ＰＡＴ／ＰＭＴデータＤ３１としてＮＩＴ／ＰＡＴ／ＰＭＴメモリ部３５に更新記憶する。これによりＮＩＴ／ＰＡＴ／ＰＭＴメモリ部３５には常に最新のＮＩＴ、ＰＡＴ及びＰＭＴが記憶されることになる。
【００３６】
ＣＰＵインターフエース３６は、ＮＩＴ／ＰＡＴ／ＰＭＴメモリ部３５を常に監視している。ここでＮＩＴ、ＰＡＴ及びＰＭＴのバージヨンの更新を検出すると、このことはデイジタル多重衛星放送の番組チヤンネルの割り当て等に変更が生じたことを表しており、当該ＣＰＵインターフエース３６はＣＰＵ部５５（図３）に対しバージヨン更新通知Ｄ３６を送出する。ＣＰＵ部５５はバージヨン更新通知Ｄ３６を受け取ると、ＮＩＴ／ＰＡＴ／ＰＭＴメモリ部３５から最新のＮＩＴ／ＰＡＴ／ＰＭＴデータＤ３１を読み出し、当該ＮＩＴ／ＰＡＴ／ＰＭＴデータＤ３１を基にＣＡＴＶのチヤンネル構成に対応したＣＡＴＶ用のＮＩＴ／ＰＡＴ／ＰＭＴデータＤ５６（図３）を作成して出力多重バスＢＵＳ２（図３）に繰り返し送出する。
【００３７】
このように、デイジタル多重衛星放送の番組チヤンネル構成に変化が生じた場合においても、常にＣＡＴＶチヤンネルに対して予め決められた番組チヤンネルが配信されるようなＣＡＴＶ用のＮＩＴ／ＰＡＴ／ＰＭＴデータＤ５６（図３）が得られる。
【００３８】
因みに、デイジタル多重衛星放送の番組チヤンネル構成に変化が生じた場合として、当該番組チヤンネルが多重化される伝送チヤンネルが変更された場合（すなわちトランスポンダが変更された場合）、ＣＰＵインターフエース３６は当該新たな伝送チヤンネル（トランスポンダ）をＮＩＴ／ＰＡＴ／ＰＭＴメモリ部３５に格納された最新のＮＩＴから判別し、変更された新たなトランスポンダに対応して入力選択部４０を切り換える。これにより、新たなトランスポンダからの衛星放送波を受信するチユーナ部２５Ａ〜２５Ｎの出力（トランスポートストリーム）を入力選択部４０において選択することができる。
【００３９】
ここで、ＣＰＵ部５５（図３）は図４に示すパケツト選択基板部３５Ａのパケツト選択部３０Ａにおいて選択された番組チヤンネルの配信先であるＣＡＴＶチヤンネルを記憶しており、これに応じて選択命令Ｄ５５ＢをＣＰＵインターフエース３６を介して出力選択部３９に送出する。
【００４０】
この実施の形態の場合、パケツト選択基板部３５Ａのパケツト選択部３０Ａ（図４）において選択された番組チヤンネルＣ２（図２）は、第１のＣＡＴＶチヤンネルに配信されるものとして設定されている。従つて、ＣＰＵ部５５（図３）は出力選択部３９によつて配信対象が第１のＣＡＴＶチヤンネルとなるような出力選択を行う。この結果、第１のＣＡＴＶチヤンネルの読出制御部６５Ａ（図３）は、出力多重バスＢＵＳ２の対応するチヤンネルを介してパケツト選択基板部３５Ａの第１のパケツト選択部３０Ａに接続される。
【００４１】
かくして、ＦＩＦＯ３３は読出制御部６５Ａから出力多重バスＢＵＳ２を介して供給される読出命令Ｄ６５Ａに基づいて、当該ＦＩＦＯ３３に書き込まれている選択ＴＳパケツトＤ３２Ａを読み出し、ＰＣＲ（Program Clock Reference）付加部３４を介してバスＢＵＳに送出する。
【００４２】
ここで、ＰＣＲはＭＰＥＧ２方式における時間基準情報であり、27[MHz] のシステムクロツクによりカウントされる、２４時間を表現する42[Bit] のカウント値であり、トランスポートストリーム内の所定のＴＳパケツトに記録されている。ＭＰＥＧ２方式において、ＰＣＲはＴＳパケツトが形成された時点において送信装置により当該ＴＳパケツトに記録され、受信装置では当該ＴＳパケツトが到着した時点において当該受信装置のシステムクロツクを当該ＰＣＲの示す値にリセツトすることにより、送信装置のシステムクロツクと受信装置のシステムクロツクが同期するようになされている。
【００４３】
本発明の衛星放送配信ＣＡＴＶシステム１においては、受信装置は図１に示すＳＴＢ１００に相当する。ＦＩＦＯ３３において、選択ＴＳパケツトＤ３２Ａは当該ＦＩＦＯ３３に書き込まれてから読み出されるまでに待機時間を生じるが、当該待機時間は一定ではなく、各パケツト選択部３０Ａ〜３０Ｃ（図３）のＦＩＦＯ３３におけるＴＳパケツトＤ３２Ａ〜Ｄ３２Ｍの占有量等に応じて変動する。この待機時間の変動により、選択ＴＳパケツトＤ３２Ａが送信装置から送信されてからＳＴＢ１００に到着するまでの時間の変動が生じる。この時間変動をジツタと呼び、かかるジツタが生じると、送信装置のシステムクロツクと受信装置のシステムクロツクがＳＴＢ１００のシステムクロツクと同期し得なくなる。このため、選択ＴＳパケツトデータＤ３２Ａが有するＰＣＲを、当該選択ＴＳパケツトＤ３２ＡのＦＩＦＯ３３における待機時間に応じて修正する。
【００４４】
すなわち、図４に示すＰＣＲ算出部３８は常にＦＩＦＯ３３を監視し、選択ＴＳパケツトＤ３２Ａが当該ＦＩＦＯ３３に書き込まれてから読み出されるまでの待機時間を、待機時間情報Ｄ３３として得る。そして、ＰＣＲ算出部３８はトランスポートストリームＤ２５Ａから得られる選択ＴＳパケツトＤ３２ＡのＰＣＲ値を待機時間情報Ｄ３３に応じて修正し、修正ＰＣＲ値Ｄ３８としてＰＣＲ付加部３４に送出する。ＰＣＲ付加部３４は、選択ＴＳパケツトＤ３２ＡのＰＣＲを修正ＰＣＲ値Ｄ３８が示す値に修正して出力多重バスＢＵＳ２に送出する。
【００４５】
かくしてデイジタル多重衛星放送に多重化された複数の番組チヤンネルのうち、第１の番組チヤンネルＣ２（図２）を選択するようになされたパケツト選択基板部３５Ａのパケツト選択部３０Ａ（図３、図４）は、当該番組チヤンネルＣ２が多重化された伝送チヤンネルを中継する通信衛星の第１のトランスポンダからのトランスポートストリームＤ２５Ａを選択的に入力し、当該番組チヤンネルＳ２をその配信先となる第１のＣＡＴＶチヤンネルに接続された出力多重バスＢＵＳ２の対応チヤンネルに対して選択的に出力する。
【００４６】
また、当該パケツト選択基板部３５Ａに設けられた他のパケツト選択部３０Ｂ及び３０Ｃと、他のパケツト選択基板部３５Ｋに設けられたパケツト選択部３０Ａ〜３０Ｃにおいても同様にして、それぞれ選択すべき番組チヤンネルを選択するとともに、当該選択した番組チヤンネルをその配信先となるＣＡＴＶチヤンネルに接続された出力多重バスＢＵＳ２の対応チヤンネルに選択的に出力する。
【００４７】
出力多重バスＢＵＳ２は、各ＣＡＴＶチヤンネルに対応して複数のチヤンネルを有し、例えば第１のＣＡＴＶチヤンネルＣｈ１（図２）に対応する出力多重バスＢＵＳ２のチヤンネルには、当該ＣＡＴＶチヤンネルに配信されるべき番組チヤンネルＣ２、Ｃ５及びＣ６（図２）を選択するように設定されたパケツト選択部からの選択ＴＳパケツトが供給される。
【００４８】
また、第２のＣＡＴＶチヤンネルＣｈ２（図２）に対応する出力多重バスＢＵＳ２のチヤンネルには、当該ＣＡＴＶチヤンネルに配信されるべき番組チヤンネルＣ３、Ｃ８及びＣ９（図２）を選択するように設定されたパケツト選択部からの選択ＴＳパケツトが供給される。
【００４９】
このようにして、出力多重バスＢＵＳ２の各チヤンネルには各伝送チヤンネルから分離された各ＣＡＴＶチヤンネルに配信すべき複数の番組チヤンネルの各ＴＳパケツト（選択ＴＳパケツト）が対応するＣＡＴＶチヤンネルごとに割り当てられる。
【００５０】
ここで図３において、変調基板部６０はＣＡＴＶチヤンネルに対応してＭ個の読出制御部６５Ａ〜６５Ｍを有し、当該各読出制御部６５Ａ〜６５Ｍは、それぞれ対応するパケツト選択基板部３５Ａ〜３５Ｋの各パケツト選択部３０Ａ〜３０Ｃに設けられたＦＩＦＯ３３（図４）を出力多重バスＢＵＳ２を介して常に監視している。そして、各読出制御部６５Ａ〜６５Ｍは、ＦＩＦＯ３３における選択ＴＳパケツトの占有量を基に当該各ＦＩＦＯ３３に対し所定の順序で読出命令Ｄ６５Ａ〜Ｄ６５Ｍを送出し、順次ＦＩＦＯ３３内の選択ＴＳパケツトを出力多重バスＢＵＳ２に読み出してＣＡＴＶチヤンネルごとに多重化する。
【００５１】
これにより、通信衛星の第１のトランスポンダによつて中継された第１の伝送チヤンネルに多重化されている複数の番組チヤンネルのうち、第１のＣＡＴＶチヤンネルに配信されるべき番組チヤンネルＣ２（図２）のＴＳパケツトは、第１のパケツト選択基板部３５Ａの第１のパケツト選択部３０Ａによつて選択され、第１のＣＡＴＶチヤンネルの読出制御部６５Ａによつて当該第１のＣＡＴＶチヤンネルに配信される。
【００５２】
また、第２の伝送チヤンネルに多重化された複数の番組チヤンネルのうち、第１のＣＡＴＶチヤンネルに配信されるべき番組チヤンネルＣ５（図２）のＴＳパケツトは、これに対応したパケツト選択部によつて選択され、第１のＣＡＴＶチヤンネルの読出制御部６５Ａによつて当該第１のＣＡＴＶチヤンネルに配信される。
【００５３】
このようにして、各伝送チヤンネルに多重化された複数の番組チヤンネルのうち、第１のＣＡＴＶチヤンネルに配信されるべき番組チヤンネルのＴＳパケツトは、パケツト基板部３５Ａ〜３５Ｋのいずれかに設けられた対応するパケツト選択部によつて選択され、第１のＣＡＴＶチヤンネルの読出制御部６５Ａによつて読み出され、ＣＡＴＶ配信用として多重化される。
【００５４】
また、第２〜第ＭのＣＡＴＶチヤンネルにおいても同様にして、通信衛星の各トランスポンダに対応した伝送チヤンネルにそれぞれ多重化された複数の番組チヤンネルのうち、各ＣＡＴＶチヤンネルに配信すべき番組チヤンネルのＴＳパケツトを対応するパケツト選択部から読み出して多重化する。
【００５５】
このとき読出制御部６５Ａは、ＣＰＵ部５５（図３）から繰り返し供給されているＮＩＴ／ＰＡＴ／ＰＭＴデータＤ５６に同期して読出命令Ｄ６５Ａ〜Ｄ６５Ｍを送出することにより、各ＣＡＴＶチヤンネルに対応したトランスポートストリームＤ５０Ａ〜Ｄ５０Ｍを形成するとともに、各トランスポートストリームＤ５０Ａ〜Ｄ５０Ｍに対して対応するＣＡＴＶ用のＮＩＴ／ＰＡＴ／ＰＭＴデータＤ５６を付加することにより、各トランスポートストリームＤ５０Ａ〜Ｄ５０ＭにＣＡＴＶのチヤンネル構成に応じたＮＩＴ、ＰＡＴ及びＰＭＴが書き込まれる。
【００５６】
このようにして、各ＣＡＴＶチヤンネルに配信されるべき番組チヤンネルの選択ＴＳパケツトが対応するパケツト選択部から出力多重バスＢＵＳ２に送出され、当該出力多重バスＢＵＳ２においてＣＡＴＶチヤンネルごとに多重化される。第１のＣＡＴＶチヤンネルに配信されるべき番組チヤンネルの選択ＴＳパケツトは、当該出力多重バスＢＵＳ２においてトランスポートストリームＤ５０Ａを形成し、読出制御部６５Ａを経由して第１のＣＡＴＶチヤンネルの変調部７０Ａに供給される。変調部７０ＡにおいてトランスポートストリームＤ５０Ａは６４ＱＡＭ変調を受け、送信信号Ｓ７０Ａとして図１に示すヘツドエンド部８０に送出され、再多重化処理が完了する。
【００５７】
また、他のＣＡＴＶチヤンネルにおいても同様にして、対応するパケツト選択部から出力多重バスＢＵＳ２に送出された各ＣＡＴＶチヤンネルに配信されるべき選択ＴＳパケツトは、それぞれ出力多重バスＢＵＳ２においてＣＡＴＶチヤンネルごとに多重化されてトランスポートストリームＤ５０Ｂ〜Ｄ５０Ｍを形成し、読出制御部６５Ｂ〜Ｄ６５Ｍを経由して第２〜第ＭのＣＡＴＶチヤンネルの変調部７０Ｂ〜７０Ｍにそれぞれ供給される。変調部７０Ｂ〜７０ＭにおいてトランスポートストリームＤ５０Ｂ〜Ｄ５０Ｍはそれぞれ６４ＱＡＭ変調を受け、送信信号Ｓ７０Ｂ〜Ｓ７０Ｍとして図１に示すヘツドエンド部８０に送出され、再多重化処理が完了する。
【００５８】
因みに図５に示すように、受信配信装置１０の匡体１５は複数の基板を収納するようになされており、受信基板部２０、変調基板部６０、ＣＰＵ基板部５６及びパケツト選択基板部３５Ａ〜３５Ｋが収容されている。パケツト選択基板部３５Ａ〜３５Ｋはそれぞれ所定数（この実施の形態の場合３個）のパケツト選択部３０Ａ〜３０Ｃを有し、当該パケツト選択部の合計数がＣＡＴＶチヤンネルに配信しようとする番組チヤンネルの総数と一致するようにパケツト選択基板部３５Ａ〜３５Ｋの枚数が決定される。
【００５９】
ＣＰＵ基板部５６にはＰＣ（Personal Computer ）９０が接続されており、当該ＰＣ９０を用いてＣＰＵ部５５を制御することにより、再多重化処理におけるチヤンネルの組み合わせを変更するようになされている。
【００６０】
（３）実施の形態の動作及び効果
以上の構成において、受信配信装置１０はデイジタル多重衛星放送に多重化された複数の番組チヤンネルのうち、ＣＡＴＶに配信する番組チヤンネルに対応した数のパケツト選択部３０Ａ〜３０Ｃを有する。各パケツト選択部３０Ａ〜３０Ｃの入力側には入力多重バスＢＵＳ１が設けられており、受信基板部２０に設けられた複数のチユーナ２５Ａ〜２５Ｎを介して受信される各伝送チヤンネルのトランスポートストリームは、入力多重バスＢＵＳ１を介してすべてのパケツト選択部３０Ａ〜３０Ｃに入力され得る状態となつている。
【００６１】
ＣＰＵ部５５には、パケツト選択部３０Ａ〜３０Ｃにおいて選択すべき番組チヤンネルが設定されており、当該ＣＰＵ部５５が各パケツト選択部３０Ａ〜３０Ｃの入力段に設けられた入力選択部４０をそれぞれ切換制御することにより、各パケツト選択部３０Ａ〜３０Ｃに対して、それぞれＣＡＴＶに配信すべき番組チヤンネルを重複せずに割り当てる。
【００６２】
このようにしてＣＡＴＶに配信すべき各番組チヤンネルに対応付けされた各パケツト選択部３０Ａ〜３０Ｃには、各入力選択部４０を介してそれぞれ目的とする番組チヤンネルを多重化した伝送チヤンネルのトランスポートストリームが入力される。各パケツト選択部３０Ａ〜３０Ｃは、入力されたトランスポートストリームから、目的とする番組チヤンネルのＴＳパケツトを選択し、これを対応するＣＡＴＶチヤンネルに配信する。
【００６３】
このように、ＣＡＴＶに配信すべき番組チヤンネルに対応付けられたパケツト選択部３０Ａ〜３０Ｃにおいて対応する番組チヤンネルのＴＳパケツトのみを通過させる処理を行うことにより、当該パケツト選択部３０Ａ〜３０Ｃの数はＣＡＴＶに配信すべき番組チヤンネルの数に限定される。
【００６４】
またこの場合、各パケツト選択部３０Ａ〜３０Ｃの出力側に設けられた出力多重バスＢＵＳ２によつて、同一のＣＡＴＶチヤンネルに配信すべき異なる番組チヤンネルが多重化されまとめられる。
【００６５】
以上の構成によれば、異なるトランスポンダによつて中継された各伝送チヤンネルに多重化された複数の番組チヤンネルは、それぞれ配信されるべきＣＡＴＶチヤンネルにまとめられることにより、異なるトランスポンダを介して中継された複数の番組チヤンネルを一つのＣＡＴＶチヤンネルに配信することができる。
【００６６】
また、パケツト選択部３０Ａ〜３０Ｃの数は、ＣＡＴＶに配信する番組チヤンネルの数だけ用意すれば良く、一旦全番組チヤンネルのＴＳパケツトを抽出した後、必要な番組チヤンネルのみを選択する場合に比べて構成を簡易化し得る。
【００６７】
さらに、パケツト選択部３０Ａ〜３０Ｃを設けたパケツト選択基板部３５Ａ〜３５Ｃを装脱自在としたことにより、ＣＡＴＶに配信する番組チヤンネルを増やす場合には、新たなパケツト基板部を装着し、これをＣＰＵ部５５に登録することにより、容易に番組チヤンネル数を変更することができる。
【００６８】
（４）他の実施の形態
なお上述の実施の形態においては、受信配信装置１０には衛星信号Ｓ１のみを供給するようにしたが、本発明においてはこれに限らず、受信配信装置に対してＣＡＴＶ独自の画像信号も供給するようにしても良い。すなわち、図１と同一部分に同一符号を付して示す図６において、２は全体として衛星放送配信ＣＡＴＶシステムを示し、番組供給部６Ａ〜６Ｊより供給されるＣＡＴＶ独自の画像信号Ｓ６Ａ〜Ｓ６Ｊは、符号化部７Ａ〜７ＪにおいてＭＰＥＧ２方式により圧縮符号化され、独自番組トランスポートストリームＤ７Ａ〜Ｄ７Ｊとして多重化部に送出される。
【００６９】
図３と同一部分に同一符号を付して示す図７において、１１は全体として受信配信装置を示し、Ｊ個の同一構成でなる選択部２１Ａ〜２１Ｊが入力多重バスＢＵＳ１に接続されている。その他の部分の構成は図３に示す受信配信装置１０と同一である。
【００７０】
多重化部５１に送出された独自番組トランスポートストリームＤ７Ａ〜Ｄ７Ｊは、選択部２６に供給される。ここで選択部２６には、ＣＰＵ部５５より選択信号Ｄ５５Ａが供給されており、当該選択部２６は当該選択信号Ｄ５５Ａに基づき、トランスポートストリームＤ７Ａ〜Ｄ７ＪをトランスポートストリームＤ２６Ａ〜Ｄ２６Ｊのいずれかとして入力多重バスＢＵＳ１を介してパケツト選択基板部３５Ａ〜３５Ｋに供給し、かくして受信配信装置１１は衛星信号及びＣＡＴＶ独自の画像信号を配信し得る。
【００７１】
因みに、図７において入力多重バスＢＵＳ１の入力側に設けられた選択部２６は省略しても良く、この場合ＣＡＴＶ独自のトランスポートストリームＤ７Ａ〜Ｄ７Ｊを入力多重バスＢＵＳ１に直接入力すれば良い。
【００７２】
また上述の実施の形態においては、チユーナ部２５Ａ〜２５Ｎにおいて受信された各トランスポートストリームＤ２５Ａ〜Ｄ２５Ｎを各パケツト選択部３０Ａ〜３０Ｃに割り当てる割当手段として入力多重バスＢＵＳ１を用いる場合について述べたが、本発明はこれに限らず、他の種々のスイツチ回路等を用いるようにしても良い。
【００７３】
また上述の実施の形態においては、パケツト選択基板部３５Ａ〜３５Ｋにそれぞれ３個のパケツト選択部３０Ａ〜３０Ｃを設ける場合について述べたが、本発明はこれに限らず、例えば４個のパケツト選択部を設ける等、パケツト選択部の数は種々の数を適用し得る。
【００７４】
また上述の実施の形態においては、デイジタル多重放送波Ｓ１をＣＡＴＶに再配信する場合について述べたが、本発明はこれに限らず、地上波として他の放送システムに再配信する等、再配信の対象となる放送システムは種々のものを適用し得る。
【００７５】
さらに上述の実施の形態においては、画像及び音声からなる番組を放送する場合について述べたが、本発明はこれに限らず、中継対象としては例えばデータ通信等、種々のものを適用し得る。
【図面の簡単な説明】
【００７６】
【図１】本発明による衛星放送配信ＣＡＴＶシステムを示すブロツク図である。
【図２】チヤンネルの組み換えを示す略線図である。
【図３】本発明による受信配信装置を示すブロツク図である。
【図４】本発明によるパケツト選択部を示すブロツク図である。
【図５】本発明による受信配信装置を示す斜視図である。
【図６】他の実施の形態による衛星放送配信ＣＡＴＶシステムを示すブロツク図である。
【図７】他の実施の形態による受信配信装置を示すブロツク図である。
【図８】トランスポンダとＣＡＴＶチヤンネルの関係を示す略線図である。
【符号の説明】
【００７７】
１、２……衛星放送受信配信ケーブルシステム、１０、１１……受信配信装置、２５Ａ〜２５Ｎ……チユーナ部、３０Ａ〜３０Ｃ……パケツト選択部、３５Ａ〜３５Ｋ……パケツト選択基板部、５０、５１……多重化部、６０……変調基板、７０Ａ〜７０Ｍ……変調部、８０……ヘツドエンド部。
【図１】
2007235978.tif 000003
【図２】
2007235978.tif 000004
【図３】
2007235978.tif 000005
【図４】
2007235978.tif 000006
【図５】
2007235978.tif 000007
【図６】
2007235978.tif 000008
【図７】
2007235978.tif 000009
【図８】
2007235978.tif 000010
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
複数のデジタルテレビジョン放送を多重化してなる放送波を受信し、上記放送を所定のテレビジョン信号送出システムに送出する情報中継装置において、
上記放送波に含まれるネットワーク情報テーブルを参照し、上記放送波を所定の周波数にチューニングするチューニング手段と、
上記チューニング手段によりチューニングされた所定の周波数のトランスポートストリームを受信する受信手段と、
上記受信手段によって受信されたトランスポートストリームに割り当てられているプログラムアソシエーションテーブルを参照し、所定の番組チャンネルのＰＭＴの位置を認識する認識手段と、
上記認識手段によって認識されたＰＭＴを参照し、各トランスポートストリームパケットのＰＩＤを認識し、所定の番組チャンネルを構成するトランスポートストリームパケットを選択する選択手段と、
上記選択手段によって選択されたトランスポートストリームパケットの時間基準情報を修正する修正手段と、
上記修正手段によって修正された時間基準情報を持つ上記トランスポートストリームパケットを、上記所定のテレビジョン信号送出システムの対応するチャンネル毎に再多重化して送出する送出手段と
を具えることを特徴とする情報中継装置。
【請求項２】
上記情報中継装置はさらに、
上記修正手段によって修正された時間基準情報を持つ上記トランスポートストリームに対しＱＡＭ方式による変調を行う変調手段を
具えることを特徴とする請求項１に記載の情報中継装置。
【請求項３】
上記情報中継装置はさらに、
上記ネットワーク情報テーブルのバージョンを監視する監視手段と、
上記監視手段によって上記ネットワーク情報テーブルのバージョンの更新が検出された場合に、新たなネットワーク情報テーブルを記憶する記憶手段を
具えることを特徴とする請求項１に記載の情報中継装置。